(57)【要約】【課題】アドレス変換データの設定数が多い場合でも、入力を簡単に行え、ミスが発生しないようにする。【解決手段】システム拡張端末器３は、１次側通信システムＳ１で端末器１２に割り当てられていないアドレスである１次側アドレスと、２次側通信システムＳ２で制御端末器２２を制御可能なアドレスである２次側アドレスとを１対１に対応させたアドレス変換データを予め登録するメモリ部３７と、アドレス変換データを変更操作するための表示操作部３３，３４とを備えており、１次側通信システムＳ１の多重伝送線Ｌ１を通じて、１次側通信システムＳ１のセンタ装置１１を少なくとも含み、アドレス変換データを編集機能を有するアドレス変換データ編集装置で編集されたアドレス変換データをダウンロードしてメモリ部３７に登録更新して運用する。【選択図】図１
2008135887.tif 000002
【特許請求の範囲】
【請求項１】
ポーリング／セレクティング方式での通信を行い固有のアドレスを割り当てた端末器に対して、そのアドレスを含んだ制御信号を送信するセンタ装置と、その制御信号で指定された処理をなす端末器とを多重伝送線で接続した１次側通信システムと、
１次側通信システムと同様な構成に加えて自システムの端末器を制御可能な制御端末器をも具備する２次側通信システムと、
１次側および２次側通信システムの相互間を通信可能に接続するシステム拡張端末器とを備えて構成され、１次側通信システムをメインシステムとし、そのサブシステムとしての２次側通信システムを構成する制御端末器を、１次側通信システムからシステム拡張端末器を介して制御可能とした複合型監視制御システムであって、
前記システム拡張端末器は、
前記１次側通信システムで端末器に割り当てられていないアドレスである１次側アドレスと、前記２次側通信システムで制御端末器を制御可能なアドレスである２次側アドレスとを１対１に対応させたアドレス変換データを予め登録するメモリ部と、
前記アドレス変換データを変更操作するための表示操作部とを備えており、
前記１次側通信システムのセンタ装置を少なくとも含み、前記アドレス変換データの編集機能を有するアドレス変換データ編集装置で編集された前記アドレス変換データを、前記１次側通信システムの多重伝送線を通じてダウンロードし、前記メモリ部に登録更新して運用することを特徴とする複合型監視制御システム。
【発明の詳細な説明】
【技術分野】
【０００１】
本発明は、オフィスビル等の設備機器を監視、制御する１次側通信システムをメインシステムとし、同様の構成とされる２次側通信システムをサブシステムとして、メインシステムがサブシステムをコントロールできるように、システム拡張端末機を介して両者を接続した構成の複合型監視制御システムに関する。ここで、メインシステムは、各種サブシステムのコントロールを主目的としたシステムとしても、照明器具、空調器具の両者または一方を監視、制御するシステムとしてもよい。一方、サブシステムは、照明器具、空調器具の両者または一方を監視、制御するシステムとされる。
【背景技術】
【０００２】
前記複合型監視制御システムに関する従来技術の例として、次の特許文献には、１次側通信システムの複数のアドレスと、２次側通信システムの複数のアドレスを１対１で対応させ記憶し、１次側通信システムと２次側通信システムとの間で通信を中継するシステム拡張端末器を備えた複合型監視制御システムが開示されている。
【特許文献１】特開２００１−１６２４４号公報
【発明の開示】
【発明が解決しようとする課題】
【０００３】
前記特許文献１のシステムでは、１次側通信システムの複数のアドレスと、２次側通信システムの複数のアドレスを１対１で対応させたアドレス変換データの登録設定を、システム拡張端末器に設けた表示操作部で行うようになっている。しかしながら、システム拡張端末器は、通常めったに操作されない小型機器で、その表示操作部には最小限の操作釦、表示窓しか備えていないため、アドレス変換データの設定数が多い場合には、その入力は非常に面倒で、ミスが発生しやすくなるといった問題があった。本発明は、そのような問題を解決するものである。
【課題を解決するための手段】
【０００４】
上記問題を解決するため、本発明は、ポーリング／セレクティング方式での通信を行い固有のアドレスを割り当てた端末器に対して、そのアドレスを含んだ制御信号を送信するセンタ装置と、その制御信号で指定された処理をなす端末器とを多重伝送線で接続した１次側通信システムと、１次側通信システムと同様な構成に加えて自システムの端末器を制御可能な制御端末器をも具備する２次側通信システムと、１次側および２次側通信システムの相互間を通信可能に接続するシステム拡張端末器とを備えて構成され、１次側通信システムをメインシステムとし、そのサブシステムとしての２次側通信システムを構成する制御端末器を、１次側通信システムからシステム拡張端末器を介して制御可能とした複合型監視制御システムであって、前記システム拡張端末器は、前記１次側通信システムで端末器に割り当てられていないアドレスである１次側アドレスと、前記２次側通信システムで制御端末器を制御可能なアドレスである２次側アドレスとを１対１に対応させたアドレス変換データを予め登録するメモリ部と、前記アドレス変換データを変更操作するための表示操作部とを備えており、前記１次側通信システムのセンタ装置を少なくとも含み前記アドレス変換データの編集機能を有するアドレス変換データ編集装置で編集された前記アドレス変換データを、前記１次側通信システムの多重伝送線を通じてダウンロードし、前記メモリ部に登録更新して運用する。
【発明の効果】
【０００５】
本発明では、１次側通信システムのセンタ装置等、システム拡張端末器よりも優れた表示操作部を有するアドレス変換データ編集装置において、アドレス変換データを作成して、システム拡張端末器にダウンロードできるようにしているので、アドレス変換データの設定数が多い場合でも、入力を簡単に行え、ミスが発生しにくい。また、システム拡張端末器の表示操作部によって、アドレス変換データの追加、変更等ができるので、端末器の交換、追加等のメンテナンス時等に、わざわざセンタ装置まで行かずに現場でアドレス変換データを修正でき、利便である。
【発明を実施するための最良の形態】
【０００６】
以下、本発明の実施例を図に従って説明する。
【実施例１】
【０００７】
図１は、本発明の基本構成を説明するシステム図で、実施例の複合型監視制御システムは、次のような構成とされる１次側通信システムＳ１と、２次側通信システムＳ２と、システム間の通信を中継するシステム拡張端末器３とで構成されている。
【０００８】
ここに、１次側通信システムＳ１は、例えば、オフィスビルの照明、空調等の総合的な監視制御を行う中央監視システムで、ポーリング／セレクティング方式での通信を行い固有のアドレスを割り当てた端末器に対して、そのアドレスを含んだ制御信号を送信するセンタ装置１１と、その制御信号で指定された処理をなす端末器１２とを多重伝送線Ｌで接続した基本構成になっている。例えば、１２＃１はエアコン等の設備機器１３＃１を接続したリレー制御端末器、１２＃２は、壁面等に設置されるスイッチ端末器であるが、端末器１２はこれに限られない。
【０００９】
一方、２次側通信システムは、同オフィスビルの照明、空調の一部を監視制御するサブシステムで、１次側通信システムＳ１と同様にセンタ装置２１と複数の端末器２２とを多重伝送線Ｌ２で接続した構成で、端末器２２として、自システムの端末器２２を制御可能な制御端末器をも具備している。例えば、２２＃１は、照明操作スイッチ制御用の制御端末器であり、２２＃２は、制御端末器２２＃１によって制御される壁面設置型の照明操作スイッチ端末器である。ここに、制御端末機２２＃１には、例えば設備機器２３＃１として照明器具２３＃１が付加されている。
【００１０】
システム拡張端末器３は、１次側通信システムＳ１をメインシステムとし、２次側通信システムＳ２をそのサブシステムとして、両者の間に介在する通信インタフェースを構成しており、１次側通信システムＳ１は、この通信インタフェースを介して、２次側通信システムＳ２を監視制御する。なお、図１の（数字）は、割り当てられたアドレス値を示している。
【００１１】
図２は、システム拡張端末器３の基本構成を説明するブロック図で、１次側ＣＰＵ３１と、多重伝送線Ｌ１との間で信号を伝送する伝送ドライバ部３２と、データを入力するための操作部３３と、液晶パネル等で構成される表示部３４と、２次側ＣＰＵ３５と、多重伝送線Ｌ２との間で信号を伝送する伝送ドライバ部３６と、ＥＥＲＯＭ等の書換え可能な不揮発性メモリで構成されるメモリ部３７と、多順伝送線Ｌ１から作動電源を受電する電源部３８とを備えている。システム拡張端末器３は通常時にはオペレータによって操作されることがないため小型機器として構成されることが望ましく、操作部３３は最小限の釦数で構成され、表示部３４も最小限の表示窓で構成される。
【００１２】
１次側ＣＰＵ３１は、操作部３３および表示部３４からなる表示操作部を制御する表示操作処理部３１ａと、伝送ドライバ部３２を制御する通信処理部３１ｂとを構成し、２次側ＣＰＵ３５は、メモリ部３７を制御するメモリ制御処理部３５ａと、伝送ドライバ部３６を制御する通信処理部３５ｂとを構成する。なお、１次側ＣＰＵ３１、２次側ＣＰＵ３５のいずれも、それらの手段を構成するための制御プログラム等が予め格納されたＲＯＭや、自身に割り当てられた１次側、２次側アドレスやアドレス変換データ等、各種データを動的に記憶するためのＲＡＭを備えている。なお、１次側ＣＰＵ３１の通信処理部３１ｂは、自身に割り当てられた１次側アドレスを参照してセンタ装置１１から送信されてきた制御信号を処理する部分と、アドレス変換データを参照して、システム間の通信を処理する部分とからなり、特に前者は、多重伝送線Ｌ１を通じて、アドレス変換データ編集装置で作成編集されたアドレス変換データや２次側アドレスをダウンロードしてメモリ部３７に登録、更新する機能を有する。一方、２次側ＣＰＵ３５の通信処理部３５ｂは、自身に割り当てられた２次側アドレスを参照してセンタ装置１１から送信されてきた制御信号を処理する部分と、アドレス変換データを参照して、システム間の通信を処理する部分とからなる。
【００１３】
次いで、１次側通信システムＳ１と２次側通信システムＳ２とで構成された複合型監視制御システムの基本動作を説明する。この前提として、センタ装置１１、２１、システム拡張端末器３には、次のような各種データの登録が必要である。
【００１４】
まず、１次側通信システムＳ１のセンタ装置１１は、例えば図３に示すような１次側アドレスデータが登録される。
図３の例では、１次側通信システムＳ１の端末器１２＃１、１２＃２、…、システム拡張端末器３、２次側通信システムＳ２の制御端末器２２＃１、端末器２２＃２、…に対して、アドレス値「１１」、「１２」、…、「４０」、…、「５１」、「５２」、…が予め割り当てられている。このようなアドレスデータは、センタ装置１１の表示操作部において作成編集され登録されたものである。
【００１５】
また、２次側通信システムＳ２のセンタ装置２１においては、２次側アドレスデータとして、例えば、制御端末器２２＃１、端末器２２＃２、システム拡張端末器３に対して、アドレス値「１０１」、「１０２」、「２００」が予め割り当てられる。
【００１６】
システム拡張端末器３は、多重伝送線Ｌ１を通じてシステム拡張端末器３に送信されてきた制御信号を識別できるように、固有の１次側アドレスが割り当てられる。より具体的には、操作部３３および表示部３４からなる表示操作部によって、例えば１次側通信システムＳ１におけるアドレス値「２００」が入力操作され、メモリ部３７に登録される。その際には、操作を容易にするための補助的な情報が表示部３４に表示される。
【００１７】
次いで、システム拡張端末器３は、１次側通信システムＳ１で端末器１２に割り当てられていないアドレスである１次側アドレスと、２次側通信システムＳ２で端末器２２を制御可能なアドレスである２次側アドレスとを１対１に対応させたアドレス変換データが、センタ装置１１からダウンロードされ、そのアドレス変換データをメモリ部３７に登録更新して運用する。図４は、アドレス変換データの簡単な例で、例えばシステム拡張端末器３のアドレス変換データ「４０−２００」、「５１−１０１」等がセンタ装置１１からダウンロードされ、メモリ部３７に登録される。
【００１８】
ここに、センタ装置１１は、オペレータによる管理業務が簡単に行えるよう、キーボード、マウス等で構成される操作部や、液晶モニタ等で構成される表示部を有するワークステーション等で構成されているので、使い勝手のよい専用ＧＵＩによって、アドレス変換データの作成、編集作業を行うことができる。この専用ＧＵＩの画面構成に特段の制限はないが、１次側通信システムＳ１の未使用なアドレスを一覧できる機能等があると便利である。なお、センタ装置１１と同様なアドレス変換データの編集機能を有するアドレス変換データ編集装置を更に設けてもよい。
【００１９】
また、メモリ部３７に登録されたアドレス変換データは、操作部３３および表示部３４からなる表示操作部によって変更操作することも可能である。特にセンタ装置１１とシステム拡張端末器３とが離れて設置されている場合には、システム拡張端末器３でアドレス変換データの修正等が行える方が好都合である。なお、システム拡張端末器３においてアドレス変換データの変更操作が行われた場合には、その内容をセンタ装置１１に通知するようにしてもよい。
【００２０】
１次側通信システムＳ１内の基本的な監視、制御は、従来のポーリング／セレクティング方式での通信によるものであって、その通信は、センタ装置１１が１次側アドレスを含む制御信号を送信し、対応した端末器１２が制御信号で指定された処理をなし、あるいは応答信号を返信するという形態でなされる。ここに、応答信号は、その送信先が常にセンタ装置１１であり、かつ直前の制御信号に対応しているので、センタ装置１１の１次側アドレスを含ませておく必要はない。なお、端末器１２はスイッチ操作等を検知すると、センタ装置１１に割り込み信号を発信する機能を有する。２次側通信システムＳ２内の監視、制御もこれと同様である。
【００２１】
次いで、１次側通信システムＳ１による２次側通信システムＳ２の制御を、図１、図３、図４に従って具体的に説明する。ここで、端末器２２＃２は、制御端末器２２＃１を制御する照明操作スイッチとし、前提として、１次側アドレス、２次側アドレス、アドレス変換データ等の登録は完了しているものとする。これによって、センタ装置１１は、２次側通信システムＳ２の制御端末器２２＃１、端末器２２＃２を、１次側通信システムＳ１の１次側アドレス５１、５２の端末器として認識する。ここに端末器２２＃２は、照明のオンオフ状態を表示する赤・緑ＬＥＤを備えている。
【００２２】
以下、１次側通信システムＳ１による２次側通信システムＳ２の制御の例として、端末器２２＃２に、赤・緑ＬＥＤの表示色を変更させ、その変更結果とを受信する場合について説明する。
【００２３】
まず、センタ装置１１は、アドレス値「４０」を含む制御信号を送信することにより、システム拡張端末器３をポーリングする。この制御信号は、２次側システムＳ２のアドレス値「１０１」の端末器をオン／オフ切換制御するという制御内容を含んでいる。
【００２４】
システム拡張端末器３は、その制御信号を受信すると、アドレス変換データを参照して、１次側のアドレス値「４０」を２次側のアドレス値「２００」に変換した応答信号を準備し、センタ装置２２に対する割り込み信号を発信する。
【００２５】
その割り込み信号を検知したセンタ装置２２は、各２次側アドレスを含んだ制御信号を順番に送信するポーリングを行い、システム拡張端末器３は、そのポーリングの過程で、アドレス値「２００」を含んだ制御信号を受信したときに、準備していた上記応答信号を出力する。
【００２６】
センタ装置２２は、アドレス値「２００」に対した出力された応答信号の制御内容に従って、制御端末機２２＃１を制御し、その後、制御端末機２２＃１の監視を行い、端末機２２＃２に対して、その監視結果を反映させた制御信号をする。
【００２７】
端末器２２＃２は、上記制御信号を読み取って、赤・緑ＬＥＤを赤から緑に（または緑から赤に）に表示変更する。
【００２８】
システム拡張端末器３は、その端末機２２＃２に対する制御信号を受信し、その後、センタ装置２２からアドレス値「２００」を含んだ制御信号によるポーリングによって、端末機２２＃２の変更結果を受信する。システム拡張端末器３は、その制御信号から、アドレス値「２００」をアドレス値「４０」に変換した応答信号を準備し、１次側通信システムＳ１のセンタ装置１１に割り込み信号を発信し、センタ装置１１によるポーリングに対する応答信号として、準備した応答信号を出力する。
【００２９】
図５は、１次側通信システムＳ１による２次側通信システムＳ２の制御を行わせるためのシステム拡張端末器３の動作（インタフェース処理）を説明するフローチャートである。
【００３０】
この動作では、システム拡張端末器３は、１次側通信システムＳ１の通信を監視しており、自らの１次側アドレスを含んだ制御信号を検出する（１次側通信システムのポーリング待ち）と、その制御信号が、アドレス変換データに登録されている１次側アドレスの端末器を制御する内容のものであれば、２次側通信システムＳ２の対応したアドレスに変換したその制御内容を伝達するための応答信号を準備し、２次側通信システムＳ２のセンタ装置２２に割り込み信号を発信する。その後、各２次側アドレスを含んだ制御信号を順番に送信するポーリング（２次側通信システムのポーリング待ち）が行われると、準備した応答信号を出力する（ステップ１０１〜１０５）
【００３１】
その一方で、システム拡張端末器３は、２次側通信システムＳ２の通信を監視しており、自らの２次側アドレスを含んだ制御信号を検出する（２次側通信システムのポーリング待ち）と、その制御信号の内容を分析し、アドレス変換データに登録されている２次側アドレスの端末器を制御する内容のもの、または、１次側通信システムＳ１の対応したアドレスに変換したその制御内容を伝達するものであれば、対応する１次側通信システムのアドレスに変換した、その内容を伝達するための応答信号を準備して、１次側通信システムＳ１のセンタ装置１１に割り込み信号を発信し、準備したその応答信号を出力する（ステップ１０６〜１１０）。
【図面の簡単な説明】
【００３２】
【図１】本発明の基本構成を説明するシステム図である。
【図２】システム拡張端末器の基本構成を説明するブロック図である。
【図３】センタ装置に設定されたアドレスデータの例である。
【図４】アドレス変換データの例である。
【図５】システム拡張端末器の動作を説明するフローチャートである。
【符号の説明】
【００３３】
１１、２１  センタ装置
１２、２２  端末器
３          システム拡張端末器
３３        操作部
３４        表示部
３７        メモリ部
Ｌ１、Ｌ２  多重伝送線
Ｓ１        １次側通信システム
Ｓ２        ２次側通信システム
【図１】
2008135887.tif 000003
【図２】
2008135887.tif 000004
【図３】
2008135887.tif 000005
【図４】
2008135887.tif 000006
【図５】
2008135887.tif 000007